(57)【要約】【課題】排出トレイ上のシートが良好な状態を維持できる画像形成装置を提供する。【解決手段】本発明の画像形成装置は、上面が排出トレイ１ａとされた装置本体１と、排出トレイ１ａを覆うように装置本体１の上方に設けられた読取部３とを備えている。装置本体１内には、シートＳを排出トレイ１ａまで搬送経路Ｐに沿って搬送する搬送部２０と、搬送経路Ｐの途中でシートＳを加熱してシートＳに画像を定着させる定着部５０とを備えている。装置本体１は、定着部５０の上方に位置し、装置本体１の内部から外部に通じる通気口１２を有している。また、カバー部材８４は、搬送部２０がシートＳを搬送しておらず、かつ定着部５０が加熱されている待機時には通気口１２を閉鎖し、搬送部２０がシートＳを搬送する通紙時には通気口１２を開放する。【選択図】図４
2013120229.tif 000002
【特許請求の範囲】
【請求項１】
上面が排出トレイとされた装置本体と、
前記排出トレイを覆うように前記装置本体の上方に設けられた装置上部体と、
前記装置本体内に設けられ、シートを前記排出トレイまで搬送経路に沿って搬送する搬送部と、
前記装置本体内に設けられ、前記搬送経路の途中で前記シートに画像を形成する画像形成部と、
前記装置本体内に設けられ、前記画像形成部によって形成された前記画像を加熱して前記シートに定着させる定着部とを備えた画像形成装置であって、
前記装置本体は、前記定着部の上方に位置し、前記装置本体の内部から外部に通じる通気口と、前記搬送部が前記シートを搬送しておらず、かつ前記定着部が加熱されている待機時には前記通気口を閉鎖し、前記搬送部が前記シートを搬送する通紙時には前記通気口を開放するカバー部材とを有していることを特徴とする画像形成装置。
【請求項２】
前記排出トレイに排出される前記シートに接触して変位し、排出される前記シートの存在を検出する検出部の一部を構成する排紙アクチュエータを備え、
前記カバー部材は、前記排紙アクチュエータの変位に連動して前記通気口を開閉可能に構成されている請求項１記載の画像形成装置。
【請求項３】
前記排紙アクチュエータを変位可能に支持する軸部と、前記軸部から前記排紙アクチュエータとは反対側に延び、前記カバー部材に連結されるアームとを備え、
前記アームと前記排紙アクチュエータとは一体化されている請求項２記載の画像形成装置。
【請求項４】
前記装置本体は前記装置上部体との間に上板を有し、
前記上板には、前記定着部に向けて突出し、前記通気口側から前記排出トレイ側まで延び、所定間隔を有して配設される複数のリブからなり、先端面が前記シートを前記排出トレイに案内するガイド面とされたガイドが設けられている請求項１乃至３のいずれか１項記載の画像形成装置。
【請求項５】
前記装置本体は前記装置上部体との間に上板を有し、
前記上板には、前記定着部に向けて突出し、前記通気口側から前記排出トレイ側まで延び、所定間隔を有して配設される複数のリブからなり、先端面が前記シートを前記排出トレイに案内するガイド面とされたガイドが設けられ、
前記複数のリブのうちの所定のリブ同士の間には、前記上板に一体形成され、前記定着部の上部から前記通気口に向かって延びる支持板が設けられ、
前記排紙アクチュエータは前記支持板に変位可能に支持されている請求項２又は３記載の画像形成装置。
【請求項６】
前記装置上部体は読取部を有している請求項１乃至５のいずれか１項記載の画像形成装置。
【発明の詳細な説明】
【技術分野】
【０００１】
本発明は画像形成装置に関する。
【背景技術】
【０００２】
特許文献１に従来の画像形成装置が開示されている。この画像形成装置は、画像形成済みのシートが堆積する排出トレイを上面に備えた装置本体と、排出トレイを覆うように装置本体の上方に設けられた読取部とを備えている。装置本体内には、シートを給紙カセット等から排出トレイまで搬送経路に沿って搬送する複数の搬送ローラと、搬送経路の途中でシートに画像を形成する画像形成部と、画像形成部によって形成された画像を加熱してシートに定着させる定着部とが設けられている。
【０００３】
この画像形成装置では、定着部によって加熱されることによって画像を定着させたシートが排出トレイに排出される。
【先行技術文献】
【特許文献】
【０００４】
【特許文献１】特許第４３８９１７７号公報
【発明の概要】
【発明が解決しようとする課題】
【０００５】
しかし、シートは不可避的に水分を含有している。このため、そのシートが搬送経路の途中で定着部によって加熱されることにより水分が蒸発し、その水分を含む空気が、シートの排出口から排出トレイに向けて排気される場合がある。この場合、排出トレイの上方に位置する読取部の下面が冷えていると、読取部の下面で結露を生じる。結露の発生は装置本体の上方に読取部が設けられている場合には限られない。また、結露の発生は、外気温が排気よりかなり下がる冬季等において顕著となる。このため、排出トレイ上のシートが水と接触し易く、画像形成済みのシートの状態が損なわれるおそれがある。
【０００６】
本発明は、上記従来の実情に鑑みてなされたものであって、排出トレイ上のシートが良好な状態を維持できる画像形成装置を提供することを目的としている。
【課題を解決するための手段】
【０００７】
本発明の画像形成装置は、上面が排出トレイとされた装置本体と、
前記排出トレイを覆うように前記装置本体の上方に設けられた装置上部体と、
前記装置本体内に設けられ、シートを前記排出トレイまで搬送経路に沿って搬送する搬送部と、
前記装置本体内に設けられ、前記搬送経路の途中で前記シートに画像を形成する画像形成部と、
前記装置本体内に設けられ、前記画像形成部によって形成された前記画像を加熱して前記シートに定着させる定着部とを備えた画像形成装置であって、
前記装置本体は、前記定着部の上方に位置し、前記装置本体の内部から外部に通じる通気口と、前記搬送部が前記シートを搬送しておらず、かつ前記定着部が加熱されている待機時には前記通気口を閉鎖し、前記搬送部が前記シートを搬送する通紙時には前記通気口を開放するカバー部材とを有していることを特徴とする。
【０００８】
本発明の画像形成装置では、装置本体が内部から外部に開く通気口を有している。この通気口は定着部の上方に位置している。また、この通気口はカバー部材によって開閉される。
【０００９】
すなわち、搬送部がシートを搬送しておらず、かつ定着部が加熱されている待機時には、カバー部材によって通気口が閉鎖される。このため、搬送部がシートを定着部に搬送しておらず、水分が蒸発するおそれがない場合には、定着部の熱を含む乾燥して暖かい空気が排出トレイに向けて排気される。これにより、例えば冬季等であっても、装置上部体が暖められ、装置上部体の下面が冷え難い。
【００１０】
また、搬送部が排出トレイに向かってシートを搬送する通紙時には、カバー部材によって通気口が開放される。このため、水分を含むシートが搬送経路の途中で定着部によって加熱され、水分が蒸発しても、その水分を含む湿った暖かい空気は、通気口から排気され、排出トレイに向けて排気され難い。このため、装置上部体の下面が冷えたとしても、その下面で結露を生じ難い。
【００１１】
したがって、この画像形成装置によれば、排出トレイ上のシートが水と接触し難く、シートは良好な状態を維持できる。
【００１２】
本発明の画像形成装置は、排出トレイに排出されるシートに接触して変位し、排出されるシートの存在を検出する検出部の一部を構成する排紙アクチュエータを備え得る。そして、カバー部材は、排紙アクチュエータの変位に連動して通気口を開閉可能に構成されていることが好ましい。
【００１３】
この場合、カバー部材を開閉可能に駆動させるための専用の装置を設ける必要がなく、部品点数を削減できる。また、専用の装置を設ける場合に比べ、カバー部材のために必要なスペースを小さくできる。
【００１４】
本発明の画像形成装置は、排紙アクチュエータを変位可能に支持する軸部と、軸部から排紙アクチュエータとは反対側に延び、カバー部材に連結されるアームとを備え得る。そして、アームと排紙アクチュエータとは一体化されていることが好ましい。
【００１５】
この場合、簡単な構成により、排紙アクチュエータの変位に連動して、カバー部材の移動を行うことができる。また、アームと排紙アクチュエータとが一体化されていることで、予め、カバー部材の移動範囲に応じて、アームと排紙アクチュエータとの角度や長さを決定しておけば、カバー部材による通気口の閉鎖状態と開放状態を精度よく切替えることができる。
【００１６】
本発明の画像形成装置では、装置本体は装置上部体との間に上板を有し得る。上板には、定着部に向けて突出し、通気口側から排出トレイ側まで延び、所定間隔を有して配設される複数のリブからなり、先端面がシートを排出トレイに案内するガイド面とされたガイドが設けられていることが好ましい。
【００１７】
この場合、定着部の上方には、定着後のシートをガイド面によって案内するガイドが設けられている。このガイドは、通気口側から排出トレイ側まで延びる複数のリブからなるため、リブ同士の間は、空気が自由に流れることができる。よって、定着部によって暖められた空気がリブ同士の間を通って排出トレイ又は通気口に排出され易く、他に移動し難い。このため、定着部の熱を排出トレイに向かって排出することによって装置上部体を暖めたり、定着部の熱を通気口から排出したりし易く、本発明の効果がより顕著になる。
【００１８】
本発明の画像形成装置では、複数のリブのうちの所定のリブ同士の間には、上板に一体形成され、定着部の上部から通気口に向かって延びる支持板が設けられ得る。排紙アクチュエータは支持板に変位可能に支持されていることが好ましい。
【００１９】
この場合、定着部によって暖められた空気が支持板に案内されて通気口に排出され易く、本発明の効果がより顕著になる。また、排紙アクチュエータが複数のリブの間のスペースを利用して設けられているため、省スペースを実現できる。そして、排紙アクチュエータは、定着部の上部から通気口に向かって延びる支持板に支持されることで、排紙アクチュエータとカバー部材との距離を近づけることができ、排紙アクチュエータの変位にカバー部材を連動させやすい。
【００２０】
装置上部体は読取部を有してもよい。読取部を装置本体の上方に備えた場合でも、読取部の下面に結露が生じることを防止でき、読取部と画像形成部を収容する装置本体との間に排出トレイを備えるような装置構成においても、本発明が有効である。
【図面の簡単な説明】
【００２１】
【図１】実施形態の画像形成装置の右側面図である。
【図２】実施形態の画像形成装置の背面図である。
【図３】実施形態の画像形成装置に係り、排紙アクチュエータ及びカバー部材の斜視図である。
【図４】実施形態の画像形成装置に係り、待機時の要部拡大断面図である。
【図５】実施形態の画像形成装置に係り、待機時の断面図である。
【図６】実施形態の画像形成装置に係り、通紙時の要部拡大断面図である。
【図７】実施形態の画像形成装置に係り、通紙時の断面図である。
【発明を実施するための形態】
【００２２】
以下、本発明を具体化した実施形態を図面を参照しつつ説明する。
【００２３】
実施形態の画像形成装置は、図１及び図２に示すように、装置本体１と、装置本体１の上方に一体的に設けられた装置上部体の一例としての読取部３とを備えている。図１及び図２では、装置本体１と読取部３とが接続されている部分を画像形成装置の後側と規定する。そして、画像形成装置の前側から見て、画像形成装置の右側を右側、画像形成装置の左側を左側と規定し、前後、左右及び上下の各方向を表示する。図３以降に示す各方向は、全て図１及び図２に示す各方向に対応させて表示する。
【００２４】
装置本体１は外面を形成するハウジング１０を有している。ハウジング１０内には、シートＳに対して画像を形成するための各種構成が収容されている。詳細については、後述する。また、図１に示すように、ハウジング１０の上面が排出トレイ１ａとされている。排出トレイ１ａには、画像が形成されたシートＳが積載される。図２に示すように、ハウジング１０の背面の上方には、ハウジング１０の内部から外部に通じる複数個の通気口１２が形成されている。各通気口１２は上下２段に区分されており、上段の通気口１２はスリット１０ａ、１０ｂからなり、下段の通気口１２はスリット１０ｃ、１０ｄからなる。各スリット１０ａ、１０ｂ、１０ｃ、１０ｄは、左右方向に複数個ずつ形成され、矩形状に各々が水平に延びている。
【００２５】
ハウジング１０内には、図５及び図７に示すように、押上板２２、給紙ローラ２４、分離ローラ２６が設けられている。押上板２２は、複数枚のシートＳを収納する図示しない給紙カセットに設けられており、シートＳを給紙ローラ２４に押し付ける。給紙ローラ２４は最上段のシートＳと接触し、シートＳを分離ローラ２６に向かって送り出す。分離ロ−ラ２６は図示しない分離パッドとともにシートＳを１枚ずつに分離し、下流側へと搬送する。
【００２６】
また、ハウジング１０内には、分離ローラ２６の上方（シートＳの搬送方向下流側）において、感光ドラム２８及び転写ローラ３０が対をなして回転可能に設けられている。感光ドラム２８の前方には感光ドラム２８上にレーザ光を照射するための露光装置４２が設けられている。転写ローラ３０は、感光ドラム２８と対向して配置され、分離ローラ２６により分離され、搬送されてきたシートＳにトナー像を転写する。
【００２７】
さらに、ハウジング１０内では、感光ドラム２８及び転写ローラ３０の上方（シートＳの搬送方向下流側）において、シートＳを加熱してシートＳに画像を定着させる定着部５０が設けられている。定着部５０は、シートＳを加熱可能な加熱ローラ５２と、この加熱ローラ５２と対をなして回転可能な加圧ローラ５４とを有している。
【００２８】
装置本体１の上方には、排出トレイ１ａを覆うように読取部３が設けられている。装置本体１と読取部３とは、定着部５０の上方で接続されている。ハウジング１０は読取部３との間に水平に延びる上板１０ｆを有している。図４及び図６に示すように、上板１０ｆには、加熱ローラ５２及び加圧ローラ５４に向けて下方に突出する複数のリブ６０が形成されている。各リブ６０は、左右方向で所定間隔を有して配設されているとともに、通気口１２側から排出トレイ１ａ側まで延びている。各リブ６０の先端面のうち、加熱ローラ５２の上方から前方に延びる部分は、トナーを定着させたシートＳを排出トレイ１ａに案内するガイド面６０ａとされている。各リブ６０のうち、ガイド面６０ａが形成されている部分がガイドに相当する。
【００２９】
各スリット１０ａ、１０ｂ、１０ｃ、１０ｄからなる通気口１２は定着部５０の後方の斜め上部に位置している。
【００３０】
図５及び図７に示すように、ハウジング１０の上方には、排出トレイ１ａに向かって前方に開く排出口１ｂが形成されている。ガイド面６０ａの前端には、排出口１ｂからシートＳを排出トレイ１ａに排出するための排紙ローラ３２、３４が設けられている。
【００３１】
このように、搬送部２０は、押上板２２、給紙ローラ２４、分離ローラ２６、感光ドラム２８、転写ローラ３０、加熱ローラ５２、加圧ローラ５４、ガイド面６０ａ及び排紙ローラ３２、３４等からなる。なお、加熱ローラ５２及び加圧ローラ５４は、搬送経路Ｐの途中でシートＳを搬送する機能において搬送部２０の一部を構成している。そして、搬送部２０はシートＳを給紙カセットから排出トレイ１ａまでＣ字状の搬送経路Ｐに沿って搬送する。
【００３２】
読取部３は、フラットベッドと、フラットベットの上面を覆う位置と開放する位置とで変位するカバーとを有している。フラットベッドは、プラテンガラスによって形成され、原稿を水平に載置可能な載置面を有している。そして、載置面の下を移動するスキャナ（図示せず）によって、載置面に置かれた原稿の画像を読み取る。読取部３の構成自体は、周知のものであり、詳細については説明を省略する。
【００３３】
装置本体１のハウジング１０には、定着部５０の上方に検出部７０が設けられている。検出部７０は、図３、図４及び図６に示すように、左右方向に水平に延びてハウジング１０に揺動可能に軸支された軸部７２を有している。また、図３に示すように、軸部７２の一端には常態において斜め下前方に延びる排紙アクチュエータ７４が固定されており、軸部７２の他端には常態において前方に延びる凸部７６が固定されている。軸部７２の一端側には、ねじりコイルばね７３が巻き掛けられている。ねじりコイルばね７３の一端７３ａは、図４及び図６に示すように、ハウジング１０の係止部１０ｅに係止され、ねじりコイルばね７３の他端７３ｂは排紙アクチュエータ７４に係止されている。このような構成により、排紙アクチュエータ７４と凸部７６とは連動して変位する。
【００３４】
図４及び図６に示すように、左右方向から見た場合に、リブ６０と、検出部７０とは重なる位置関係になっているが、各リブ６０のうちの所定のリブ６０同士の間には支持板１０ｅが設けられている。指示板１０ｅは、上板１０ｆに一体形成され、定着部５０の上部から通気口１２に向かって延びている。検出部７０の軸部７２は支持板１０ｅに軸支されており、排紙アクチュエータ７４は支持板１０ｅに変位可能に支持されている。排紙アクチュエータ７４は、常態においては、図４に示すように、自己の自重及びねじりコイルばね７３の付勢力によってガイド面６０ａから下方に突出している。他方、排紙アクチュエータ７４は、シートＳがガイド面６０ａに沿って案内されれば、図６に示すように、シートＳによって持ち上げられ、ガイド面６０ａからほとんど突出しなくなる。
【００３５】
図４及び図６に示すように、ハウジング１０において、排紙アクチュエータ７４から左右方向に離れた位置にはフォトセンサ７８が固定されており、図３に示すように、凸部７６はフォトセンサ７８の対向する壁の内側を揺動できるようになっている。排紙アクチュエータ７４と凸部７６とは連動して変位するため、図４に示すように、排紙アクチュエータ７４がガイド面６０ａから下方に突出しておれば、凸部７６はフォトセンサ７８内に位置する。他方、図６に示すように、排紙アクチュエータ７４がガイド面６０ａから持ち上げられれば、凸部７６はフォトセンサ７８内から外れて上方に変位する。このため、フォトセンサ７８からの信号により、シートＳが排出トレイ１ａに排出される状態か否かが検出される。
【００３６】
図３に示すように、軸部７２には、常態において、後方に延びるアーム８２が固定されている。排紙アクチュエータ７４とアーム８２とは共に軸部７２に対して一体化されているため、互いの位置関係は常に同じになるように構成されている。従って、排紙アクチュエータ７４がシートＳの通過により持ち上げられれば、アーム８２は下降し、逆に排紙アクチュエータ７４が下方に移動すれば、アーム８２は上昇する。そして、アーム８２の後端には軸部７２と平行に延びる円柱状のスライダ８２ａが形成されている。スライダ８２ａの後方には板状のカバー部材８４が設けられている。カバー部材８４は、図５等に示されるように、ハウジング１０の後側面の内側に沿うように配設される。
【００３７】
カバー部材８４の幅上下方向中央には複数個の開口８４ａが左右方向で水平に設けられている。各開口８４ａの高さは、図４及び図６に示すように、各通気口１２におけるスリット１０ｂとスリット１０ｃとの間隔と等しくされている。また、カバー部材８４は、各開口８４の上下に壁部８４ｂ、８４ｃを有している。壁部８４ｂの高さはスリット１０ａの上端からスリット１０ｂの下端までの高さと等しくされている。壁部８４ｃの高さはスリット１０ｃの上端からスリット１０ｄの下端までの高さと等しくされている。
【００３８】
また、カバー部材８４の壁部８４ｂの左右方向中央付近には、軸孔８６ａを有する軸受部８６が形成されている。軸孔８６ａは、図４及び図６に示すように、前後に延びる長穴状に形成されており、軸孔８６ａ内にアーム８２のスライダ８２ａが回動しつつ前後移動可能に収納されている。このように、軸部７２、アーム８２、スライダ８２ａ及び軸受部８６は、カバー部材８４を排紙アクチュエータ７４の変位に連動させる連動機構を構成している。
【００３９】
この画像形成装置では、図５に示すように、排紙ローラ３２、３４がシートＳを搬送しておらず、かつ加熱ローラ５２が加熱されている待機時には、図４に示すように、排紙アクチュエータ７４がガイド面６０ａから下方に突出している。この場合、スライダ８２ａが上方に位置し、カバー部材８４も上方に位置する。そして、壁部８４ｂがスリット１０ａ、１０ｂを隠蔽し、壁部８４ｃがスリット１０ｃ、１０ｄを隠蔽する。こうして、通気口１２がカバー部材８４によって閉鎖された状態となる。このため、搬送部２０がシートＳを定着部５０に搬送しておらず、シートＳから水分が蒸発するおそれがない場合には、加熱ローラ５２近傍の熱を含む乾燥して暖かい空気がリブ６０同士の間を通り、排出口１ｂから排出トレイ１ａに向けて排気される。これにより、排出トレイ１ａの上方に位置する読取部３の下面が冷え難い。
【００４０】
また、図７に示すように、排紙ローラ３２、３４が排出トレイ１ａに向かってシートＳを搬送する通紙時には、図６に示すように、排紙アクチュエータ７４がガイド面６０ａから上方に持ち上げられている。この場合、スライダ８２ａが下方に位置し、カバー部材８４も下方に位置する。そして、壁部８４ｂがスリット１０ａ、１０ｂと対向しない位置となり、また壁部８４ｃがスリット１０ｃ、１０ｄと対向しない位置となり、開口８４ａがスリット１０ｃ、１０ｄと対応する位置となる。こうして、カバー部材８４によって通気口１２が開放された状態となる。このため、水分を含むシートＳが搬送経路Ｐの途中で定着部５０によって加熱され、水が蒸発しても、その湿った暖かい空気は、リブ６０同士の間を通って通気口１２から排気され、排出トレイ１ａに向けて排気され難い。これにより、排紙トレイ１ａの上方に位置する読取部３の下面が冷えていたとしても、その下面で結露を生じ難い。
【００４１】
したがって、この画像形成装置によれば、読取部３の下面に結露が発生することを抑制し、画像形成済みのシートＳを良好な状態に維持できる。
【００４２】
また、この画像形成装置では、カバー部材８４が排紙アクチュエータ７０の変位に連動して通気口１２を開閉することから、カバー部材８４を開閉可能に駆動させるための専用の装置を設ける必要がなく、部品点数を削減できる。また、専用の装置を設ける場合に比べ、カバー部材８４のために必要なスペースを小さくできる。
【００４３】
また、この画像形成装置は、軸部７２とアーム８２とを備えていることから、簡単な構成により、排紙アクチュエータ７４の変位に連動して、カバー部材８４の移動を行うことができる。また、アーム８２と排紙アクチュエータ７４とが一体化されていることで、予め、カバー部材８４の移動範囲に応じて、アーム８２と排紙アクチュエータ７４との角度や長さを決定しておけば、カバー部材８４による通気口１２の閉鎖状態と開放状態を精度よく切替えることができる。
【００４４】
さらに、この画像形成装置では、定着部５０の上方にガイドとなるリブ６０が設けられている。このため、定着部５０によって暖められた空気がリブ６０同士の間を通って排出トレイ１ａ又は通気口１２に排出され易く、他に移動し難い。このため、定着部５０の熱を排出トレイ１ａに向かって排出することによって読取部３を暖めたり、定着部５０の熱を通気口１２から排出したりし易い。
【００４５】
さらに、この画像形成装置では、定着部５０によって暖められた空気が支持板１０ｅに案内されて通気口１２に排出され易い。また、排紙アクチュエータ７４が複数のリブ６０の間のスペースを利用して設けられているため、省スペースを実現している。そして、排紙アクチュエータ７４は、定着部５０の上部から通気口１２に向かって延びる支持板１０ｅに支持されることで、排紙アクチュエータ７４とカバー部材８４との距離を近づけることができ、排紙アクチュエータ７４の変位にカバー部材８４を連動させやすい。
【００４６】
以上において、本発明を実施形態に即して説明したが、本発明は上記実施形態に制限されるものではなく、その趣旨を逸脱しない範囲で適宜変更して適用できることはいうまでもない。例えば、ガイドはリブに限定されず、装置本体の内壁面や筒状のダクト等がガイドにされ得る。
【産業上の利用可能性】
【００４７】
本発明は複合機等に利用可能である。
【符号の説明】
【００４８】
１ａ…排出トレイ
１…装置本体
３…装置上部体、読取部
Ｓ…シート
Ｐ…搬送経路
２０…搬送部
５０…定着部
１２…通気口
８４…カバー部材
７０…検出部
７４…排紙アクチュエータ
７２…軸部
８２…アーム
１０ｆ…上板
６０…リブ、ガイド
６０ａ…ガイド面
１０ｅ…支持板
【図１】
2013120229.tif 000003
【図２】
2013120229.tif 000004
【図３】
2013120229.tif 000005
【図４】
2013120229.tif 000006
【図５】
2013120229.tif 000007
【図６】
2013120229.tif 000008
【図７】
2013120229.tif 000009